(57)【要約】【課題】  自動分析装置の試薬情報を無線ＩＣタグ等にて管理しようとした場合、ＩＣタグになんらかのトラブルが発生し記録された情報が読取り不可能となる可能性がある。ＩＣタグが読取り不可の場合、試薬情報が得られず分析作業が中断してしまい、検査時間，効率を大幅に低下しかねない。【解決手段】  試薬容器に紙製ラベルタイプのＩＣタグが貼り付けてあるが、ラベル上に必要な暗号化されたコードＮo.が記載されており、トラブルなどによりＩＣタグが装置上で読み込めない場合でもＩＣタグ上に記載されているコードＮo.入力、あるいはバーコードの読取りにより情報ネットワーク上のデータベースから試薬情報を入手する手段を持つシステム。試薬情報入手方法を、ＩＣタグからの読取り以外に、ＩＣタグ上に記載されたコードＮo.、もしくは二次元及び一次元バーコードにより、情報ネットワーク上にあるデータベースから試薬情報を入手可能とする。【選択図】図４
2010014454.tif 000002
【特許請求の範囲】
【請求項１】
試薬を保持する試薬容器と、
該試薬容器に保持された試薬の情報を識別する、該試薬容器に貼付された試薬情報識別部材と、
該試薬容器を複数搭載する試薬搭載手段と、
該試薬情報識別部材に記録された試薬識別情報を電波を用いて読取る試薬情報読取手段と、
を備えた自動分析装置において、
前記試薬情報識別部材に人間が読み取り可能な識別情報が記載されていることを特徴とする自動分析装置。
【請求項２】
請求項１記載の自動分析装置において、
前記人間が読み取り可能な識別情報はコードＮo.であり、更にバーコードが記されていることを特徴とする自動分析装置。
【請求項３】
請求項２記載の自動分析装置において、
前記バーコードは二次元バーコードであることを特徴とする自動分析装置。
【請求項４】
請求項２または３に記載の自動分析装置において、
前記バーコードを読み取るためのバーコード読取手段を備えたことを特徴とする自動分析装置。
【発明の詳細な説明】
【技術分野】
【０００１】
本発明は、血液・尿等の生体サンプル成分を自動で分析する自動分析装置に係り、特に試薬種別，容器サイズ，分析パラメータ等の情報管理を各々の試薬容器に貼付した無線ＩＣタグ等により管理する自動分析装置に関する。
【背景技術】
【０００２】
血液，尿などの生体サンプルの定性・定量分析を行う自動分析装置では数十種類分析項目に対応した試薬を用いて分析を行う。このような多種類の試薬を人間が管理し、分析装置の管理コンピュータに試薬情報を入力した場合、入力間違いが発生する可能性がある。このため、バーコード等の試薬識別情報を試薬容器に貼付し、分析装置が自動的に試薬識別情報を認識する機能を備えたものが一般的になっている。
【０００３】
試薬識別情報の認識手段としてはバーコードリーダがコストなどの点で主流であったが、分析に使用する試薬の種類が増加するにつれ、より多くの試薬容器を自動分析装置に搭載したいとの要求が高まり、またバーコードで記録できる情報量にも限界があることから、無線タグ（ＩＣタグ，ＲＦ−ＩＤ）のような情報記録媒体を用い、電波で情報の読み書きを行う手段を備えた自動分析装置が、例えば特許文献１に記載されている。
【０００４】
【特許文献１】特開２００５−１０１１５号公報
【発明の開示】
【発明が解決しようとする課題】
【０００５】
自動分析装置の試薬情報を無線ＩＣタグ等にて管理しようとした場合、ＩＣタグになんらかのトラブルが発生し記録された情報が読取り不可能となる可能性がある。
【０００６】
本発明の目的は、上記のような何らかの原因でＩＣタグの情報が読み取れなくなった場合であっても、分析が継続できる機能を備えた自動分析装置を提供することにある。
【課題を解決するための手段】
【０００７】
上記目的を達成するために、本発明に係る自動分析装置は、次のように構成される。
【０００８】
試薬を保持する試薬容器と、該試薬容器に保持された試薬の情報を識別する、該試薬容器に貼付された試薬情報識別部材と、該試薬容器を複数搭載する試薬搭載手段と、該試薬情報識別部材に記録された試薬識別情報を電波を用いて読取る試薬情報読取手段と、を備えた自動分析装置において、
前記試薬情報識別部材に人間が読み取り可能な識別情報が記載されている自動分析装置。
【０００９】
試薬搭載手段は、試薬保冷庫の中に試薬容器を保持する試薬ディスクのようなものであっても良い。試薬情報識別部材は、無線ＩＣタグ，ＲＦ−ＩＤなどで高周波の電波で情報を読み書きするものであることが好ましい。これらの試薬情報識別部材は試薬容器のそれぞれに取付けられることが好ましい。またこれら無線タグは情報読取り・書込み部からの信号により、試薬情報を読取るための電波を発信するアンテナ部を具備していても良い。無線ＩＣタグには情報ネットワーク上のデータベース上から試薬情報を得られるコードＮo.が記載されており、このコードＮo.を入力することにより試薬情報を得られるようにしても良い。または、ＩＣタグにコードＮo.と一次元ないし二次元バーコードが印刷されており、コードＮo.入力、あるいはバーコードを読取ることにより、同様に試薬情報を得られるようにしても良い。
【発明の効果】
【００１０】
本発明によれば、ＩＣタグが読取り不可能となった場合でも、ＩＣタグに記載してあるコードＮo.、または一次元ないし二次元バーコードから情報ネットワークのデータベースから試薬情報を、迅速且つ確実に入手可能である。
【発明を実施するための最良の形態】
【００１１】
たとえば、試薬保冷庫の中に試薬ジャケットを備え、試薬容器を設置する。試薬情報の管理は無線ＩＣタグ等により、それぞれの試薬容器に取付ける。ＩＣタグは紙製ラベルタイプであり、表面にはコードＮo.、もしくはコードＮo.と一次元ないし二次元バーコードが印刷されている。
【００１２】
以下に本発明の実施例を図１から順を追って説明する。
【００１３】
図１は一般的な自動分析装置の分注機構周辺部概略図を示す。各部の機能は公知のものである為、詳細についての記述は省略する。サンプリング機構１のサンプリングアーム２は上下すると共に回転し、サンプリングアーム２に取付けられたプローブ１０５を用いて、左右に回転するサンプルディスク１０２に配置されたサンプル容器１０１内の試料７を吸引し、反応容器１０６へ吐出するように構成されている。本図からもわかるように試料容器１０１のサンプルディスク１０２への配置はサンプルディスク１０２上へ直接配置する場合や試験管（図示は無い）上にサンプル容器１０１を載せる事も可能なユニバーサルな配置に対応可能な構造のものが一般的である。
【００１４】
図１における自動分析装置の構成をさらに説明する。サンプル分注プローブ１０５は、サンプル用シリンジポンプ１０７の動作に伴ってサンプルの吸引動作、及び吐出動作を実行する。試薬分注プローブ１１０は、試薬用シリンジポンプ１１１の動作に伴って試薬の吸引動作、及び吐出動作を実行する。各サンプルのために分析すべき分析項目は、キーボード１２１、又はＣＲＴ１１８の画面のような入力装置から入力される。この自動分析装置における各ユニットの動作は、コンピュータ１０３により制御される。
【００１５】
サンプルディスク１０２の間欠回転に伴ってサンプル容器１０１はサンプル吸引位置へ移送され、停止中のサンプル容器内にサンプル分注プローブ１０５が降下される。その下降動作に伴って分注プローブ１０５の先端がサンプルの液面に接触すると液面検出回路１５１から検出信号が出力され、それに基づいてコンピュータ１０３が可動アーム２の駆動部の下降動作を停止するよう制御する。
【００１６】
次に分注プローブ１０５内に所定量のサンプルを吸引した後、分注プローブ１０５は上死点まで上昇する。分注プローブ１０５がサンプルを所定量吸引している間は、分注プローブ１０５とサンプル用ポンプ１０７流路間の吸引動作中の流路内圧力変動を圧力センサ１５２からの信号を用い圧力検出回路１５３で監視し、吸引中の圧力変動に異常を発見した場合は所定量吸引されていない可能性が高い為、当該分析データに対しアラームを付加する。
【００１７】
次にサンプリングアーム２が水平方向に旋回し反応ディスク１０９上の反応容器１０６の位置でサンプル分注プローブ１０５を下降し反応容器１０６内へ保持していたサンプルを吐出する。次にサンプルが入った反応容器１０６は試薬添加位置まで移動される。回転自在な試薬ディスク１２５上には分析対象となる複数の分析項目に対応する試薬のボトル１１２が配置されている。可動アームに取付けられた試薬分注プローブ１１０は、試薬ボトル１１２から反応容器１０６へ所定量の試薬を分注する。サンプル、及び試薬が加えられた反応容器内の混合物は、攪拌器１１３により攪拌される。混合物が収納された反応容器が測定手段である光度計１１５位置へ移送され、光度計１１５により吸光度が測定される。
【００１８】
測光信号は、Ａ／Ｄ変換器１１６を経由しインターフェース１０４を介してコンピュータ１０３に入り、分析項目の濃度が計算される。分析結果は、インターフェース１０４を介してプリンタ１１７に印字出力するか、又はＣＲＴ１１８に画面出力すると共に、メモリとしてのハードディスク１２２に格納される。測光が終了した反応容器１０６は、洗浄機構１１９の位置にて洗浄される。洗浄用ポンプ１２０は、反応容器へ洗浄水を供給すると共に、反応容器から廃棄を排出する。図１の例では、サンプルディスク１０２に同心円状に３列のサンプル容器１０１がセットできるように３列の容器保持部が形成されており、サンプル分注プローブ１０５によるサンプル吸引位置が各々の列に１個ずつ設定されている。
【００１９】
図２は試薬保冷庫２０１内に設置された試薬ディスク１２５及び、円周状に設置された試薬容器１１２の図である。ただし試薬容器設置数は円周上に２重から１重へ省略する。
【００２０】
図３は本発明の実施例を示す構成図であり、図２中の試薬ディスク１２５の断面図である（ただし試薬容器設置数は一部省略）。試薬ディスク１２５内に試薬容器１１２が設置され、さらに試薬情報等を記録するため、無線ＩＣタグなどの情報記録部２０４を試薬容器１１２全てに貼り付ける。この情報記録部は紙製ラベルとなっており、表面に文字，記号，画像が印刷可能な状態となっている。試薬情報の情報読取り・書込み部２０２は別に設置される。この情報読取り・書込み部２０２はアンテナ部２０３と接続されており、アンテナ部２０３は情報読取り・書込み部２０２からの信号によって、情報記録部２０４へ電波を発信する。この電波が情報記録部２０４から、再びアンテナ部２０３へ返ってくる。情報記録部２０４から返ってきた電波はアンテナ部２０３から、情報読取り・書込み部２０２へ送られる。これにより、試薬情報の読取り書込み作業は、情報読取り・書込み部２０２で管理する。さらに、情報読取り・書込み部２０２はコンピュータ１０３に接続されており、記録・管理も可能である。しかし無線ＩＣタグなどの情報記録部２０４がなんらかのトラブルにより読取りが出来ない場合、試薬情報が取得できず、分析処理が不可能となり、分析作業が中断することとなる。
【００２１】
図４は試薬容器１１２に貼付された無線ＩＣタグなどの情報記録部２０４にコードＮo.２０５が印刷された図である。万が一トラブルにより情報記録部から試薬情報が読取り不可能となった場合、分析作業中断を回避するため、無線ＩＣタグなどの情報記録部２０４には、コードＮo.２０５が印刷されており、コンピュータ１０３から情報ネットワーク上のデータベースへアクセスし、コードＮo.２０５を入力することにより、試薬情報が入手可能となる。そして入手した情報により、試薬情報管理が可能となる。
【００２２】
図５は試薬容器１１２に貼付された情報記録部２０４にコードＮo.２０５と、二次元バーコード２０６が印刷された図、及びバーコードの読取り部２０７の図である。コンピュータ１０３を介しデータベースへへアクセスし、ハンディリーダー等のバーコードの読取り部２０７から２次元バーコード２０６を読取ることにより、試薬情報が取得可能である。
【００２３】
図６は同様にコードＮo.２０５と、一次元バーコード２０８が記載された図である。
【００２４】
本実施例では、無線ＩＣタグにコードＮo.２０５及び一次元ないし二次元バーコードが印刷されたタグの例を示したが、一次元ないし、二次元バーコードのみ印刷されたタグであっても良い。
【図面の簡単な説明】
【００２５】
【図１】自動分析装置概略図。
【図２】試薬保冷庫平面図。
【図３】試薬保冷庫断面図。
【図４】試薬容器及び無線ＩＣタグ。
【図５】試薬容器及び無線ＩＣタグ。
【図６】試薬容器及び無線ＩＣタグ。
【符号の説明】
【００２６】
１  サンプリング機構
２  サンプリングアーム
７  試料
１０１  サンプル容器
１０２  サンプルディスク
１０３  コンピュータ
１０４  インターフェース
１０５  サンプル分注プローブ
１０６  反応容器
１０７  サンプル用シリンジポンプ
１１０  試薬分注プローブ
１１１  試薬用シリンジポンプ
１１２  試薬容器
１１３  攪拌器
１１５  光度計
１１６  Ａ／Ｄ変換器
１１７  プリンタ
１１８  ＣＲＴ
１１９  洗浄機構
１２０  洗浄用ポンプ
１２１  キーボード
１２２  ハードディスク
１２５  試薬ディスク
１５１  液面検出回路
１５２  圧力センサ
１５３  圧力検出回路
２０１  試薬保冷庫
２０２  情報読取り・書込み部
２０３  アンテナ部
２０４  情報記録部
２０５  コードＮo.
２０６  二次元バーコード
２０７  バーコード読取り部
２０８  一次元バーコード
【図１】
2010014454.tif 000003
【図２】
2010014454.tif 000004
【図３】
2010014454.tif 000005
【図４】
2010014454.tif 000006
【図５】
2010014454.tif 000007
【図６】
2010014454.tif 000008